(57)【要約】【課題】  タッチパネルリモコンを使用する制御方法及びその使用するタッチパネルリモコンの提供。【解決手段】  一種のタッチパネルリモコンを使用する制御方法及びその使用するタッチパネルリモコンであり、使用者は指がタッチパネルの上の移動で、被制御装置を制御し、そのパラメーター値と文字・数字を調整する。当該制御方法とタッチパネルは、使用者の指がタッチパネルを接触することと、当該タッチパネル上の移動方向と距離、書跡、及び当該タッチパネルから離れることなどの操作を探知することによって、制御信号を生成して当該被制御装置に送り、当該被制御装置のパラメーター値の変動方向、変動速度、または文字・数字の入力を制御する。【選択図】        図１
2008042481.tif 000002
【特許請求の範囲】
【請求項１】
当該タッチパネルには予めに定義された当該被制御装置の機能に対応するエリアを有し、当該方法は以下の手順が含まれる：
当該エリアでの接触に対応して第１信号を生成し、当該被制御装置に指示して当該機能を起動する、
接触後に当該タッチパネルでのスライド動作を認識して、変動情報を決定する、
当該変動情報を含む第２信号を生成して、当該被制御装置が当該機能のパラメーター値を調節することを指示することを特徴とするタッチパネルリモコンの遠隔被制御装置を操作する方法。
【請求項２】
当該スライド距離を含み、これにより当該パラメーター値の変動速度を制御することを特徴とする請求項１記載のタッチパネルリモコンの遠隔被制御装置を操作する方法。
【請求項３】
当該変動速度は当該距離と線形関係を持つことを特徴とする請求項２記載のタッチパネルリモコンの遠隔被制御装置を操作する方法。
【請求項４】
当該スライド方向を含み、これにより当該パレメータ値の変動方向を制御することを特徴とする請求項１記載のタッチパネルリモコンの遠隔被制御装置を操作する方法。
【請求項５】
当該スライド方向はデフォルト条件に合う変化が発生すると、当該パラメーター値の変動方向は反対になることを特徴とする請求項４記載のタッチパネルリモコンの遠隔被制御装置を操作する方法。
【請求項６】
当該デフォルト条件は臨界角より大きいことを特徴とする請求項５記載のタッチパネルリモコンの遠隔被制御装置を操作する方法。
【請求項７】
当該デフォルト条件はおよそ反対方向であることを特徴とする請求項５記載のタッチパネルリモコンの遠隔被制御装置を操作する方法。
【請求項８】
当該パラメーター値は音量バーのインターフェースを制御することに用いられることを特徴とする請求項１記載のタッチパネルリモコンの遠隔被制御装置を操作する方法。
【請求項９】
当該パラメーター値はコントラストバーのインターフェースを制御することに用いられることを特徴とする請求項１記載のタッチパネルリモコンの遠隔被制御装置を操作する方法。
【請求項１０】
当該パラメーター値は明るさバーのインターフェースを制御することに用いられることを特徴とする請求項１記載のタッチパネルリモコンの遠隔被制御装置を操作する方法。
【請求項１１】
当該パラメーター値は色合いバーのインターフェースを制御することに用いられることを特徴とする請求項１記載のタッチパネルリモコンの遠隔被制御装置を操作する方法。
【請求項１２】
当該パラメーター値は再生速度を制御することに用いられることを特徴とする請求項１記載のタッチパネルリモコンの遠隔被制御装置を操作する方法。
【請求項１３】
当該パラメーター値はチャンネルを選択することに用いられることを特徴とする請求項１記載のタッチパネルリモコンの遠隔被制御装置を操作する方法。
【請求項１４】
更に当該タッチパネルからの離れに対応して第３信号を生成することを含み、当該被制御装置に指示して当該機能を終了することを特徴とする請求項１記載のタッチパネルリモコンの遠隔被制御装置を操作する方法。
【請求項１５】
以下の手順を包括する：
第１信号を生成し、当該被制御装置に指示して機能を起動する、
当該タッチパネルでの接触に対応して文字・数字の選択状態に入る、
当該文字・数字の選択状態において、当該タッチパネルでの円を書くスライド動作に対応して文字・数字を変動する、及び、
当該タッチパネルでの離れに対応して第２信号を生成し、選択する文字・数字を入力することを特徴とするタッチパネルリモコンの遠隔被制御装置を操作する方法。
【請求項１６】
更に当該文字・数字の選択状態に入る時、当該文字・数字にデフォルト値を与えることを包括し、それを当該デフォルト値から変動させることを特徴とする請求項１５記載のタッチパネルリモコンの遠隔被制御装置を操作する方法。
【請求項１７】
当該文字・数字は１セットの予めに設定された元素において循環変動することを特徴とする請求項１６記載のタッチパネルリモコンの遠隔被制御装置を操作する方法。
【請求項１８】
当該予めに設定された元素はアラビア数字０〜９を含むことを特徴とする請求項１７記載のタッチパネルリモコンの遠隔被制御装置を操作する方法。
【請求項１９】
当該円を書くスライド動作の旋回方向は当該文字・数字の変動方向を決定することを特徴とする請求項１５記載のタッチパネルリモコンの遠隔被制御装置を操作する方法。
【請求項２０】
更に当該円を書くスライド動作と基準点との間の距離変化を測ることを含み、当該文字・数字の変動速度を決定することを特徴とする請求項１５記載のタッチパネルリモコンの遠隔被制御装置を操作する方法。
【請求項２１】
当該文字・数字の変動速度は、当該円を書くスライド動作が基準点に接近するほど大きくなることを特徴とする請求項２０記載のタッチパネルリモコンの遠隔被制御装置を操作する方法。
【請求項２２】
更に当該文字・数字の選択状態で第３信号を生成することを含み、当該被制御装置に指示して当該文字・数字の変動を表示することを特徴とする請求項１５記載のタッチパネルリモコンの遠隔被制御装置を操作する方法。
【請求項２３】
当該文字・数字は音量バーのインターフェースを制御することに用いられることを特徴とする請求項１５記載のタッチパネルリモコンの遠隔被制御装置を操作する方法。
【請求項２４】
当該文字・数字はコントラストバーのインターフェースを制御することに用いられることを特徴とする請求項１５記載のタッチパネルリモコンの遠隔被制御装置を操作する方法。
【請求項２５】
当該文字・数字は明るさのインターフェースを制御することに用いられることを特徴とする請求項１５記載のタッチパネルリモコンの遠隔被制御装置を操作する方法。
【請求項２６】
当該文字・数字は色合いバーのインターフェースを制御することに用いられることを特徴とする請求項１５記載のタッチパネルリモコンの遠隔被制御装置を操作する方法。
【請求項２７】
当該文字・数字は再生速度を制御することに用いられることを特徴とする請求項１５記載のタッチパネルリモコンの遠隔被制御装置を操作する方法。
【請求項２８】
当該文字・数字はチャンネルを選択することに用いられることを特徴とする請求項１５記載のタッチパネルリモコンの遠隔被制御装置を操作する方法。
【請求項２９】
当該文字・数字はリスト中の項目を選択することに用いられることを特徴とする請求項１５記載のタッチパネルリモコンの遠隔被制御装置を操作する方法。
【請求項３０】
当該文字・数字は電話番号を決定することに用いられることを特徴とする請求項１５記載のタッチパネルリモコンの遠隔被制御装置を操作する方法。
【請求項３１】
更に第３信号を生成し、当該被制御装置に指示して当該機能を終了することを特徴とする請求項１５記載のタッチパネルリモコンの遠隔被制御装置を操作する方法。
【請求項３２】
以下の手順を包括する：
第１信号を生成し、当該被制御装置に指示して機能を起動する、
当該タッチパネルでのスライド方向を認識して変動方向を決定し、当該スライド方向はおよそ予めに定義された方向にあり、及び、
当該変動方向の情報を含む第２信号を生成し、当該被制御装置に指示して当該変動方向でパラメーターを調整することを特徴とするタッチパネルリモコンの遠隔被制御装置を操作する方法。
【請求項３３】
当該予め定義された方向は水平方向であることを特徴とする請求項３２記載のタッチパネルリモコンの遠隔被制御装置を操作する方法。
【請求項３４】
当該予め定義された方向は垂直方向であることを特徴とする請求項３２記載のタッチパネルリモコンの遠隔被制御装置を操作する方法。
【請求項３５】
当該予め定義された方向は２つの大体反対する直線方向を包括することを特徴とする請求項３２記載のタッチパネルリモコンの遠隔被制御装置を操作する方法。
【請求項３６】
当該２つの大体反対する直線方向は、当該パラメーター値の変動方向が逆になることを特徴とする請求項３２記載のタッチパネルリモコンの遠隔被制御装置を操作する方法。
【請求項３７】
当該パラメーター値は予めに設定された範囲内に変動することを特徴とする請求項３２記載のタッチパネルリモコンの遠隔被制御装置を操作する方法。
【請求項３８】
当該パラメーター値は音量バーのインターフェースを制御することに用いられることを特徴とする請求項３２記載のタッチパネルリモコンの遠隔被制御装置を操作する方法。
【請求項３９】
当該パラメーター値はコントラストバーのインターフェースを制御することに用いられることを特徴とする請求項３２記載のタッチパネルリモコンの遠隔被制御装置を操作する方法。
【請求項４０】
当該パラメーター値は明るさバーのインターフェースを制御することに用いられることを特徴とする請求項３２記載のタッチパネルリモコンの遠隔被制御装置を操作する方法。
【請求項４１】
当該パラメーター値は色合いバーのインターフェースを制御することに用いられることを特徴とする請求項３２記載のタッチパネルリモコンの遠隔被制御装置を操作する方法。
【請求項４２】
当該パラメーター値は再生速度を制御することに用いられることを特徴とする請求項３２記載のタッチパネルリモコンの遠隔被制御装置を操作する方法。
【請求項４３】
当該パラメーター値はチャンネルを選択することに用いられることを特徴とする請求項３２記載のタッチパネルリモコンの遠隔被制御装置を操作する方法。
【請求項４４】
当該パラメーター値はタッチパネルへの落下後、すくなくとも２回のおよそ同じ方向への移動を包括することを特徴とする請求項３２記載のタッチパネルリモコンの遠隔被制御装置を操作する方法。
【請求項４５】
更に第３信号を生成し、当該被制御装置に指示して当該機能を終了することを特徴とする請求項３２記載のタッチパネルリモコンの遠隔被制御装置を操作する方法。
【請求項４６】
以下の手順を包括する：
第１信号を生成し、当該被制御装置に指示して機能を起動する、
当該タッチパネルでの書跡を認識し、文字・数字を決定する、及び、
当該文字・数字を含む第２信号を生成し、当該被制御装置に指示して当該文字・数字でパラメーター値を調整することを特徴とするタッチパネルリモコンの遠隔被制御装置を操作する方法。
【請求項４７】
更に第３信号を生成し、当該被制御装置に指示して当該書跡を表示することを特徴とする請求項４６記載のタッチパネルリモコンの遠隔被制御装置を操作する方法。
【請求項４８】
当該文字・数字は音量バーのインターフェースを制御することに用いられることを特徴とする請求項４６記載のタッチパネルリモコンの遠隔被制御装置を操作する方法。
【請求項４９】
当該文字・数字はコントラストバーのインターフェースを制御することに用いられることを特徴とする請求項４６記載のタッチパネルリモコンの遠隔被制御装置を操作する方法。
【請求項５０】
当該文字・数字は明るさバーのインターフェースを制御することに用いられることを特徴とする請求項４６記載のタッチパネルリモコンの遠隔被制御装置を操作する方法。
【請求項５１】
当該文字・数字は色合いバーのインターフェースを制御することに用いられることを特徴とする請求項４６記載のタッチパネルリモコンの遠隔被制御装置を操作する方法。
【請求項５２】
当該文字・数字は再生速度のインターフェースを制御することに用いられることを特徴とする請求項４６記載のタッチパネルリモコンの遠隔被制御装置を操作する方法。
【請求項５３】
当該文字・数字はチャンネルを選択ることに用いられることを特徴とする請求項４６記載のタッチパネルリモコンの遠隔被制御装置を操作する方法。
【請求項５４】
当該文字・数字はリスト内の項目を選択することに用いられることを特徴とする請求項４６記載のタッチパネルリモコンの遠隔被制御装置を操作する方法。
【請求項５５】
当該文字・数字は電話番号を決定することに用いられることを特徴とする請求項４６記載のタッチパネルリモコンの遠隔被制御装置を操作する方法。
【請求項５６】
更に第３信号を生成し、当該被制御装置に指示して当該機能を終了することを特徴とする請求項４６記載のタッチパネルリモコンの遠隔被制御装置を操作する方法。
【請求項５７】
遠隔の被制御装置を操作することに用いられ、当該タッチパネルリモコンは以下を包括する：
センサー、使用者の入力操作に対応して電気変量を生成し、当該センサーには予めに定義された当該被制御装置の機能に対応するエリアを有し、及び、
当該タッチパネルでの接触に対応して文字・数字の選択状態に入る、
コントローラー、当該センサーと結合し、当該電気変量を認識して対応する制御信号を生成する、
その中、当該コントローラーは、当該エリアでの接触に対応し、当該被制御装置に指示して当該機能を起動し、当該タッチパネルでのスライド動作に対応し、当該被制御装置に指示して当該機能のパラメーター値を調整し、及び当該タッチパネルでの離れに対応し、当該被制御装置に指示して当該機能を終了することを特徴とするタッチパネルリモコン。
【請求項５８】
当該コントローラーは当該スライド距離を測り、これにより当該パラメーター値の変動速度を制御することを特徴とする請求項５７記載のタッチパネルリモコン。
【請求項５９】
当該パラメーターの変動速度は当該距離と線形関係を持つことを特徴とする請求項５８記載のタッチパネルリモコン。
【請求項６０】
当該コントローラーは当該スライド方向を認識し、これにより当該パラメーター値の変動方向を制御することを特徴とする請求項５７記載のタッチパネルリモコン。
【請求項６１】
当該スライド方向はデフォルト条件に合う変化が発生した場合、当該パラメーター値の変動方向は反対になることを特徴とする請求項６０記載のタッチパネルリモコン。
【請求項６２】
当該デフォルト条件は臨界角より大きいことを特徴とする請求項６１記載のタッチパネルリモコン。
【請求項６３】
当該デフォルト条件はおよそ反対方向であることを特徴とする請求項６１記載のタッチパネルリモコン。
【請求項６４】
遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該センサーの接触に対応して文字・数字の選択状態に入った後、当該センサーでの円を描くスライド動作に対応して文字・数字を変動し、及び当該タッチパネルでの離れに対応して選択された文字・数字を選択することを特徴とするタッチパネルリモコン。
【請求項６５】
当該コントローラーは当該円を描く方向を認識し、これにより当該文字・数字の変動方向を制御することを特徴とする請求項６４記載のタッチパネルリモコン。
【請求項６６】
当該コントローラーは当該円を描くスライド動作と基準点の間の距離の変化を認識し、当該文字・数字の変動速度を決定することを特徴とする請求項６４記載のタッチパネルリモコン。
【請求項６７】
当該コントローラーは、当該円を描くスライド動作が当該基準点に接近するほど、当該文字・数字の変動速度を大きくさせることを特徴とする請求項６６記載のタッチパネルリモコン。
【請求項６８】
遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該センサーでのスライド方向を認識し、それにより当該被制御装置に指示してパラメーター値の変動方向を調整し、当該スライド方向はおよそ予めに定義された方向にあることを特徴とするタッチパネルリモコン。
【請求項６９】
当該予めに定義された方向は水平方向であることを特徴とする請求項６８記載のタッチパネルリモコン。
【請求項７０】
当該予めに定義された方向は垂直方向であることを特徴とする請求項６８記載のタッチパネルリモコン。
【請求項７１】
当該予めに定義された方向は２つのおよそ反対する直線方向であることを特徴とする請求項６８記載のタッチパネルリモコン。
【請求項７２】
当該２つのおよそ反対する直線方向は、当該パラメーター値の変動方向が反対のことを決定することを特徴とする請求項６８記載のタッチパネルリモコン。
【請求項７３】
遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該タッチパネルでの書跡を認識して文字・数字を決定し、被制御装置に提供してパラメーターを設定することを特徴とするタッチパネルリモコン。
【請求項７４】
当該コントローラーは当該書跡を当該被制御措置に送って表示することを特徴とする請求項７３記載のタッチパネルリモコン。
【発明の詳細な説明】
【技術分野】
【０００１】
本発明はリモコンに関し、特にタッチパネルリモコンを使用する制御方法及びその使用するタッチパネルリモコンである。
【背景技術】
【０００２】
リモコンは長年にわたり、各種の家電製品に使用されている。例えば、テレビ、エアコン、音響設備、扇風機などがある。おもちゃ、電動ドアーなどの電子制御可能な装置でもリモコンを使用する。最近、ホームエンターテインメントなどの各種の家電とデジタル装置の統合された機器は趨勢になり、マイクロソフト社はさらにメディアセンター エディション（Ｍｅｄｉｓ  Ｃｅｎｔｅｒ  Ｅｄｉｔｉｏｎ；ＭＣＥ）を開発され、マルチメディアの再生とフレンドリー インターフェースを提供し、使用者はリモコンを操作することで写真、音楽、テレビ番組、映画、ホームビデオ、放送、グローバルの番組とサービスなどの各種デジタルエンターテインメントを獲得できる。こんな統合するような趨勢はリモコンの重要性を増加させ、伝統的な家電でも、新しい統合システムでも、使用者の操作上の便利性を高めるため、ヒューマン マシン インターフェース（ＨＭＩ）として使用するリモコンが必要になる。しかし、既存の技術発展は機器本体端の更新に偏るだけ、リモコンがもたらした不便は無視された。典型的なテレビのリモコンにおいては大体２０個ほどのキーがあり、これらのキーはリモコンの大部分面積を占めている。リモコンの体積を縮めれば、キーが小さすぎになり、操作に不便になる。反対すると、より大きい且つ間隔が大きいキーを使用する場合、リモコンの体積は大き過ぎになる。また、システムの統合において、より多い種類のメディア装置を操作するため、リモコンが必要なキーの数量は多くなり、例えば、電源のオン・オフ、音量の調整、チャンネルの選択、数字キー、ジャンプキー、各種のメディア機能の選択キー、単一メディアの操作用―、上下左右の移動、再生、巻き戻し、早送り、停止、録画などのキーが含まれる。使用者にとって、そんな数量の多いキーの中で、使用したいキーを探し出すとともに、ほかのキーを誤操作で押すことを避けることは、親しくないと言える。
【０００３】
キーの数量を減少するほかの方法としては、いろいろな機能が異なるキーを共同のキーに統合させ、例えば、機能キーと方向キーは画面上のメディアまたは機能の項目の選択に供され、それは各層メニューの操作により項目を選択可能である。特にシステムまたはメディアの機能は多様化と複雑化になり、各層メニューの操作方式は不親切になる。ただ単一の制御目的であるが、使用者はかしこい手といくつの動作によって完成しなければならない。たとえこんな統合方式によっても、キーの数量は依然として２５から３０個に達する。また、操作の方式はとても複雑になり、誤操作を引き起こすことはさらに容易になる。例えば、お年寄り、子供、視力不良者、手に障害がある人、及びPＣの操作に慣れない人にとって、複雑の操作は、リモコンの使用に悩む使用者に障害を生じる。
【０００４】
キーによる操作することも制御機能に制限を生じる。例えば、リモコンで音量を調整するとき、初めて音量上げまたは音量下げのキーを押すと、画面に音量バーが現れ、キーを押す毎に、音量は一つの単位を増減し、キーを押しっぱなしする場合は、固定な変動速度で音量を増加または減少する。チャンネルの切り替えも同じことである。リモコンで画面の明るさ、コントラスト、または色合いを調整する時、使用者はまず対応するキーを操作して調節バーを呼び出し、そして増加または減少のキーおさなければならない。同じことで、一度キーを押すことで一つの単位を増減する。キーを押しっぱなしすると、固定な変動速度でパラメーター値を増加または減少する。このような操作方式は早めに設置したい設定値を設置できない。ほかの調整方式は、まず対応するキーにより特定な機能に入り、そして数字キーを押すことで数字を入力し、時間を待つと変更が有効になる。このような操作方式は大体チャンネルを選択する場合に使用されるが、指の移動とキーの探しが必要である。
【０００５】
家電と各種のメディア装置が統合されることにより、リモコンの使用率が高くなるため、リモコンの生まれつきの欠点は明らかになる。
【０００６】
リモコンに対しほかの欠点は故障しやすいこと。リモコンのキーは機械式の構造であるため、面積は大きくて、厚みは厚く、そればかりでなく、磨耗と故障は容易に発生する。
【０００７】
リモコンのほかの欠点とは、コストが比較的に高く、それはキーの配置のコストは高く、リモコンのケースもそのキーと対応する穿孔を有しなければならないため、製造コストが比較的に高い。
【０００８】
MＣEの普及とリモコン応用の拡大するとともに、人により親しいリモコン及び制御方法が期待される。
【発明の開示】
【発明が解決しようとする課題】
【０００９】
本発明の目的の一つは、タッチパネルリモコンを使用する制御方法とその使用するタッチパネルリモコンである。
【００１０】
本発明の目的の一つは、人間化のリモコンと操作方法を提出する。
【００１１】
本発明のタッチパネルリモコンを使用する制御方法とその使用するタッチパネルリモコンは、使用者はタッチパネルの上に指を移動することによって対応する制御信号を生成して被制御装置を制御し、そのパラメーター値を調整し、または文字・数字を入力する。
【００１２】
使用者の指で、予めにタッチパネルにある定義されたエリアを接触することで、当該被制御装置の対応機能を起動する。
【００１３】
当該タッチパネルでのスライド方向は、当該被制御装置を制御し、パラメーター値を調整し、または入力する文字・数字の変動方向を入力する。
【００１４】
当該タッチパネルでのスライド距離は、当該被制御装置を制御し、パラメーター値を調整し、または入力する文字・数字の変動速度を入力する。
【００１５】
当該タッチパネルに書いた書跡を認識してパラメーター値または文字・数字を決定し、当該被制御装置に送信する。
【００１６】
使用者の指が離れることに対応し、当該被制御装置の機能を終了させる。
【００１７】
リモコンの操作インターフェースはタッチパネルを採用するため、リモコンの体積は小さく、コストは低く、寿命は長い。タッチパネルの上に操作され、キーではないため、リモコンの使用でももっと人間性を持つ。
【課題を解決するための手段】
【００１８】
請求項１の発明は、当該タッチパネルには予めに定義された当該被制御装置の機能に対応するエリアを有し、当該方法は以下の手順が含まれる：
当該エリアでの接触に対応して第１信号を生成し、当該被制御装置に指示して当該機能を起動する、
接触後に当該タッチパネルでのスライド動作を認識し、変動情報を決定する、及び、
当該変動情報を含む第２信号を生成して、当該被制御装置が当該機能のパラメーター値を調節することを指示することを特徴とするタッチパネルリモコンの遠隔被制御装置を操作する方法としている。
請求項２の発明は、当該スライド距離を含み、これにより当該パラメーター値の変動速度を制御することを特徴とする請求項１記載のタッチパネルリモコンの遠隔被制御装置を操作する方法としている。
請求項３の発明は、当該変動速度は当該距離と線形関係を持つことを特徴とする請求項２記載のタッチパネルリモコンの遠隔被制御装置を操作する方法としている。
請求項４の発明は、当該スライド方向を含み、これにより当該パレメータ値の変動方向を制御することを特徴とする請求項１記載のタッチパネルリモコンの遠隔被制御装置を操作する方法としている。
請求項５の発明は、当該スライド方向はデフォルト条件に合う変化が発生すると、当該パラメーター値の変動方向は反対になることを特徴とする請求項４記載のタッチパネルリモコンの遠隔被制御装置を操作する方法としている。
請求項６の発明は、当該デフォルト条件は臨界角より大きいことを特徴とする請求項５記載のタッチパネルリモコンの遠隔被制御装置を操作する方法としている。
請求項７の発明は、当該デフォルト条件はおよそ反対方向であることを特徴とする請求項５記載のタッチパネルリモコンの遠隔被制御装置を操作する方法としている。
請求項８の発明は、当該パラメーター値は音量バーのインターフェースを制御することに用いられることを特徴とする請求項１記載のタッチパネルリモコンの遠隔被制御装置を操作する方法としている。
請求項９の発明は、当該パラメーター値はコントラストバーのインターフェースを制御することに用いられることを特徴とする請求項１記載のタッチパネルリモコンの遠隔被制御装置を操作する方法としている。
請求項１０の発明は、当該パラメーター値は明るさバーのインターフェースを制御することに用いられることを特徴とする請求項１記載のタッチパネルリモコンの遠隔被制御装置を操作する方法としている。
請求項１１の発明は、当該パラメーター値は色合いバーのインターフェースを制御することに用いられることを特徴とする請求項１記載のタッチパネルリモコンの遠隔被制御装置を操作する方法としている。
請求項１２の発明は、当該パラメーター値は再生速度を制御することに用いられることを特徴とする請求項１記載のタッチパネルリモコンの遠隔被制御装置を操作する方法としている。
請求項１３の発明は、当該パラメーター値はチャンネルを選択することに用いられることを特徴とする請求項１記載のタッチパネルリモコンの遠隔被制御装置を操作する方法としている。
請求項１４の発明は、更に当該タッチパネルからの離れに対応して第３信号を生成することを含み、当該被制御装置に指示して当該機能を終了することを特徴とする請求項１記載のタッチパネルリモコンの遠隔被制御装置を操作する方法としている。
請求項１５の発明は、以下の手順を包括する：
第１信号を生成し、当該被制御装置に指示して機能を起動する、
当該タッチパネルでの接触に対応して文字・数字の選択状態に入る、
当該文字・数字の選択状態において、当該タッチパネルでの円を書くスライド動作に対応して文字・数字を変動する、及び、
当該タッチパネルでの離れに対応して第２信号を生成し、選択する文字・数字を入力することを特徴とするタッチパネルリモコンの遠隔被制御装置を操作する方法としている。
請求項１６の発明は、更に当該文字・数字の選択状態に入る時、当該文字・数字にデフォルト値を与えることを包括し、それを当該デフォルト値から変動させることを特徴とする請求項１５記載のタッチパネルリモコンの遠隔被制御装置を操作する方法としている。
請求項１７の発明は、当該文字・数字は１セットの予めに設定された元素において循環変動することを特徴とする請求項１６記載のタッチパネルリモコンの遠隔被制御装置を操作する方法としている。
請求項１８の発明は、当該予めに設定された元素はアラビア数字０〜９を含むことを特徴とする請求項１７記載のタッチパネルリモコンの遠隔被制御装置を操作する方法としている。
請求項１９の発明は、当該円を書くスライド動作の旋回方向は当該文字・数字の変動方向を決定することを特徴とする請求項１５記載のタッチパネルリモコンの遠隔被制御装置を操作する方法としている。
請求項２０の発明は、更に当該円を書くスライド動作と基準点との間の距離変化を測ることを含み、当該文字・数字の変動速度を決定することを特徴とする請求項１５記載のタッチパネルリモコンの遠隔被制御装置を操作する方法としている。
請求項２１の発明は、当該文字・数字の変動速度は、当該円を書くスライド動作が基準点に接近するほど大きくなることを特徴とする請求項２０記載のタッチパネルリモコンの遠隔被制御装置を操作する方法としている。
請求項２２の発明は、更に当該文字・数字の選択状態で第３信号を生成することを含み、当該被制御装置に指示して当該文字・数字の変動を表示することを特徴とする請求項１５記載のタッチパネルリモコンの遠隔被制御装置を操作する方法としている。
請求項２３の発明は、当該文字・数字は音量バーのインターフェースを制御することに用いられることを特徴とする請求項１５記載のタッチパネルリモコンの遠隔被制御装置を操作する方法としている。
請求項２４の発明は、当該文字・数字はコントラストバーのインターフェースを制御することに用いられることを特徴とする請求項１５記載のタッチパネルリモコンの遠隔被制御装置を操作する方法としている。
請求項２５の発明は、当該文字・数字は明るさのインターフェースを制御することに用いられることを特徴とする請求項１５記載のタッチパネルリモコンの遠隔被制御装置を操作する方法としている。
請求項２６の発明は、当該文字・数字は色合いバーのインターフェースを制御することに用いられることを特徴とする請求項１５記載のタッチパネルリモコンの遠隔被制御装置を操作する方法としている。
請求項２７の発明は、当該文字・数字は再生速度を制御することに用いられることを特徴とする請求項１５記載のタッチパネルリモコンの遠隔被制御装置を操作する方法としている。
請求項２８の発明は、当該文字・数字はチャンネルを選択することに用いられることを特徴とする請求項１５記載のタッチパネルリモコンの遠隔被制御装置を操作する方法としている。
請求項２９の発明は、当該文字・数字はリスト中の項目を選択することに用いられることを特徴とする請求項１５記載のタッチパネルリモコンの遠隔被制御装置を操作する方法としている。
請求項３０の発明は、当該文字・数字は電話番号を決定することに用いられることを特徴とする請求項１５記載のタッチパネルリモコンの遠隔被制御装置を操作する方法としている。
請求項３１の発明は、更に第３信号を生成し、当該被制御装置に指示して当該機能を終了することを特徴とする請求項１５記載のタッチパネルリモコンの遠隔被制御装置を操作する方法としている。
請求項３２の発明は、以下の手順を包括する：
第１信号を生成し、当該被制御装置に指示して機能を起動する、
当該タッチパネルでのスライド方向を認識して変動方向を決定し、当該スライド方向はおよそ予めに定義された方向にあり、及び、
当該変動方向の情報を含む第２信号を生成し、当該被制御装置に指示して当該変動方向でパラメーターを調整することを特徴とするタッチパネルリモコンの遠隔被制御装置を操作する方法としている。
請求項３３の発明は、当該予め定義された方向は水平方向であることを特徴とする請求項３２記載のタッチパネルリモコンの遠隔被制御装置を操作する方法としている。
請求項３４の発明は、当該予め定義された方向は垂直方向であることを特徴とする請求項３２記載のタッチパネルリモコンの遠隔被制御装置を操作する方法としている。
請求項３５の発明は、当該予め定義された方向は２つの大体反対する直線方向を包括することを特徴とする請求項３２記載のタッチパネルリモコンの遠隔被制御装置を操作する方法としている。
請求項３６の発明は、当該２つの大体反対する直線方向は、当該パラメーター値の変動方向が逆になることを特徴とする請求項３２記載のタッチパネルリモコンの遠隔被制御装置を操作する方法としている。
請求項３７の発明は、当該パラメーター値は予めに設定された範囲内に変動することを特徴とする請求項３２記載のタッチパネルリモコンの遠隔被制御装置を操作する方法としている。
請求項３８の発明は、当該パラメーター値は音量バーのインターフェースを制御することに用いられることを特徴とする請求項３２記載のタッチパネルリモコンの遠隔被制御装置を操作する方法としている。
請求項３９の発明は、当該パラメーター値はコントラストバーのインターフェースを制御することに用いられることを特徴とする請求項３２記載のタッチパネルリモコンの遠隔被制御装置を操作する方法としている。
請求項４０の発明は、当該パラメーター値は明るさバーのインターフェースを制御することに用いられることを特徴とする請求項３２記載のタッチパネルリモコンの遠隔被制御装置を操作する方法としている。
請求項４１の発明は、当該パラメーター値は色合いバーのインターフェースを制御することに用いられることを特徴とする請求項３２記載のタッチパネルリモコンの遠隔被制御装置を操作する方法としている。
請求項４２の発明は、当該パラメーター値は再生速度を制御することに用いられることを特徴とする請求項３２記載のタッチパネルリモコンの遠隔被制御装置を操作する方法としている。
請求項４３の発明は、当該パラメーター値はチャンネルを選択することに用いられることを特徴とする請求項３２記載のタッチパネルリモコンの遠隔被制御装置を操作する方法としている。
請求項４４の発明は、当該パラメーター値はタッチパネルへの落下後、すくなくとも２回のおよそ同じ方向への移動を包括することを特徴とする請求項３２記載のタッチパネルリモコンの遠隔被制御装置を操作する方法としている。
請求項４５の発明は、更に第３信号を生成し、当該被制御装置に指示して当該機能を終了することを特徴とする請求項３２記載のタッチパネルリモコンの遠隔被制御装置を操作する方法としている。
請求項４６の発明は、以下の手順を包括する：
第１信号を生成し、当該被制御装置に指示して機能を起動する、
当該タッチパネルでの書跡を認識し、文字・数字を決定する、及び、
当該文字・数字を含む第２信号を生成し、当該被制御装置に指示して当該文字・数字でパラメーター値を調整することを特徴とするタッチパネルリモコンの遠隔被制御装置を操作する方法としている。
請求項４７の発明は、更に第３信号を生成し、当該被制御装置に指示して当該書跡を表示することを特徴とする請求項４６記載のタッチパネルリモコンの遠隔被制御装置を操作する方法としている。
請求項４８の発明は、当該文字・数字は音量バーのインターフェースを制御することに用いられることを特徴とする請求項４６記載のタッチパネルリモコンの遠隔被制御装置を操作する方法としている。
請求項４９の発明は、当該文字・数字はコントラストバーのインターフェースを制御することに用いられることを特徴とする請求項４６記載のタッチパネルリモコンの遠隔被制御装置を操作する方法としている。
請求項５０の発明は、当該文字・数字は明るさバーのインターフェースを制御することに用いられることを特徴とする請求項４６記載のタッチパネルリモコンの遠隔被制御装置を操作する方法としている。
請求項５１の発明は、当該文字・数字は色合いバーのインターフェースを制御することに用いられることを特徴とする請求項４６記載のタッチパネルリモコンの遠隔被制御装置を操作する方法としている。
請求項５２の発明は、当該文字・数字は再生速度のインターフェースを制御することに用いられることを特徴とする請求項４６記載のタッチパネルリモコンの遠隔被制御装置を操作する方法としている。
請求項５３の発明は、当該文字・数字はチャンネルを選択ることに用いられることを特徴とする請求項４６記載のタッチパネルリモコンの遠隔被制御装置を操作する方法としている。
請求項５４の発明は、当該文字・数字はリスト内の項目を選択することに用いられることを特徴とする請求項４６記載のタッチパネルリモコンの遠隔被制御装置を操作する方法としている。
請求項５５の発明は、当該文字・数字は電話番号を決定することに用いられることを特徴とする請求項４６記載のタッチパネルリモコンの遠隔被制御装置を操作する方法としている。
請求項５６の発明は、更に第３信号を生成し、当該被制御装置に指示して当該機能を終了することを特徴とする請求項４６記載のタッチパネルリモコンの遠隔被制御装置を操作する方法としている。
請求項５７の発明は、遠隔の被制御装置を操作することに用いられ、当該タッチパネルリモコンは以下を包括する：
センサー、使用者の入力操作に対応して電気変量を生成し、当該センサーには予めに定義された当該被制御装置の機能に対応するエリアを有し、及び、
当該タッチパネルでの接触に対応して文字・数字の選択状態に入る、
コントローラー、当該センサーと結合し、当該電気変量を認識して対応する制御信号を生成する、
その中、当該コントローラーは、当該エリアでの接触に対応し、当該被制御装置に指示して当該機能を起動し、当該タッチパネルでのスライド動作に対応し、当該被制御装置に指示して当該機能のパラメーター値を調整し、及び当該タッチパネルでの離れに対応し、当該被制御装置に指示して当該機能を終了することを特徴とするタッチパネルリモコンとしている。
請求項５８の発明は、当該コントローラーは当該スライド距離を測り、これにより当該パラメーター値の変動速度を制御することを特徴とする請求項５７記載のタッチパネルリモコンとしている。
請求項５９の発明は、当該パラメーターの変動速度は当該距離と線形関係を持つことを特徴とする請求項５８記載のタッチパネルリモコンとしている。
請求項６０の発明は、当該コントローラーは当該スライド方向を認識し、これにより当該パラメーター値の変動方向を制御することを特徴とする請求項５７記載のタッチパネルリモコンとしている。
請求項６１の発明は、当該スライド方向はデフォルト条件に合う変化が発生した場合、当該パラメーター値の変動方向は反対になることを特徴とする請求項６０記載のタッチパネルリモコンとしている。
請求項６２の発明は、当該デフォルト条件は臨界角より大きいことを特徴とする請求項６１記載のタッチパネルリモコンとしている。
請求項６３の発明は、当該デフォルト条件はおよそ反対方向であることを特徴とする請求項６１記載のタッチパネルリモコンとしている。
請求項６４の発明は、遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該センサーの接触に対応して文字・数字の選択状態に入った後、当該センサーでの円を描くスライド動作に対応して文字・数字を変動し、及び当該タッチパネルでの離れに対応して選択された文字・数字を選択することを特徴とするタッチパネルリモコンとしている。
請求項６５の発明は、当該コントローラーは当該円を描く方向を認識し、これにより当該文字・数字の変動方向を制御することを特徴とする請求項６４記載のタッチパネルリモコンとしている。
請求項６６の発明は、当該コントローラーは当該円を描くスライド動作と基準点の間の距離の変化を認識し、当該文字・数字の変動速度を決定することを特徴とする請求項６４記載のタッチパネルリモコンとしている。
請求項６７の発明は、当該コントローラーは、当該円を描くスライド動作が当該基準点に接近するほど、当該文字・数字の変動速度を大きくさせることを特徴とする請求項６６記載のタッチパネルリモコンとしている。
請求項６８の発明は、遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該センサーでのスライド方向を認識し、それにより当該被制御装置に指示してパラメーター値の変動方向を調整し、当該スライド方向はおよそ予めに定義された方向にあることを特徴とするタッチパネルリモコンとしている。
請求項６９の発明は、当該予めに定義された方向は水平方向であることを特徴とする請求項６８記載のタッチパネルリモコンとしている。
請求項７０の発明は、当該予めに定義された方向は垂直方向であることを特徴とする請求項６８記載のタッチパネルリモコンとしている。
請求項７１の発明は、当該予めに定義された方向は２つのおよそ反対する直線方向であることを特徴とする請求項６８記載のタッチパネルリモコンとしている。
請求項７２の発明は、当該２つのおよそ反対する直線方向は、当該パラメーター値の変動方向が反対のことを決定することを特徴とする請求項６８記載のタッチパネルリモコンとしている。
請求項７３の発明は、遠隔の被制御装置を操作することに用いられ、当該タッチパネルリモコンは以下を包括する：
センサー、使用者の入力操作に対応して電気変量を生成する、及び、
コントローラー、当該センサーと結合し、当該電気変量を認識して対応する制御信号を生成する、
その中、当該被制御装置の機能において、当該コントローラーは、当該タッチパネルでの書跡を認識して文字・数字を決定し、被制御装置に提供してパラメーターを設定することを特徴とするタッチパネルリモコンとしている。
請求項７４の発明は、当該コントローラーは当該書跡を当該被制御措置に送って表示することを特徴とする請求項７３記載のタッチパネルリモコンとしている。
【発明の効果】
【００１９】
本発明はタッチパネルリモコンを使用する制御方法及びその使用するタッチパネルリモコン、リモコンの操作インターフェースはタッチパネルを採用するため、リモコンの体積は小さく、コストは低く、寿命は長い。タッチパネルの上に操作され、キーではないため、リモコンの使用でももっと人間性を持つ。
【発明を実施するための最良の形態】
【００２０】
図１はタッチパネルリモコンを使用するイメージ図であり、リモコン１０は被制御装置１２の操作に用いられる。リモコン１０は遠隔操作機能を提供する装置だけでよく、またはほかの遠隔操作機能を配置するポータブル装置でもよい。例えば、PDＡ、携帯電話、タブレットPＣ、キーボード、またはマウスがある。被制御装置１２はPＣ、サーバ、ボックス、またはほかの遠隔操作を受ける可能な独立または統合装置でよい。リモコン１０の上にはタッチパネル１４を持ち、使用者は被制御装置１２を制御する場合は、指でタッチパネル１４を接触、またはスライドするなどで操作する。その中の特徴は認知を経て変動する情報を決定し、リモコン１０が生成した制御信号に含ませて被制御装置１２に転送される。被制御装置１２には制御インターフェース１６及びコントローラー１８を持ち、コントローラー１８はＣPU、マイクロコントローラー、またはほかのプログラム可能な装置をベースとすることができ、かつＷＩＮＤＯＷＳ  ＸＰ、Ｗｉｎｄｏｗｓ  ＣＥ、Ｗｉｎｄｏｗｓ  ＭＣＥ、またはほかのＷＩＮＤＯＷＳ  ＯＳ、またはＬｉｎｕｘ  ＯＳを執行できる。コントローラー１８はリモコンインターフェース１６によりリモコン１０からの使用者の入力を取得でき、その行う機能はモコンインターフェース１６からの使用者の入力の解読を含むことができる。コントローラー１８は使用者の入力により対応する機能を起動し、且つディスプレイ２０に使用者インターフェースを表示でき、当該使用者インターフェースはコントロールバー、アイコン、ウィンドウ、リスト、または任意の可視画面でもよい。使用者の指がタッチパネル１４でのスライド動作は、被制御装置１２のパラメーター値を調整でき、または文字・数字を入力できる。例えば、音量、コントラスト、明るさ、色合い、再生速度、またはチャンネルの調整、リストで開き、閉じ、再生、一時停止、早送り、巻き戻し、前へ、後へ、上へ、下へ、録画、ポップアップ、または切り替えを選択し、または電話番号、パスワード、またはほかのコードの入力である。使用者は、タッチパネル１４での操作により当該機能を終了することもでき、または入力の停止後に時間を待って、被制御装置１２により当該機能を終了させる。
【００２１】
図２はタッチパネルリモコン１０を使用する制御方法の第一実施例である。タッチパネル１４は４つのキーエリアと定義され、チャンネルの調整キー２２と２６及び音量調整キー２４と２８を含む。その上にはＣＨ+、ＣＨ-、ＶＯＬ-、及びＶＯＬ+の図案が印刷され、それぞれチャンネル上げ、チャンネル下げ、音量下げ及び音量上げを表示する。タッチパネル１４は使用者の指３０が落下することを探知した時、制御信号を生成して被制御装置１２に送り、対応する機能を起動させる。本実施例において、使用者の指３０はキーエリア２２に落下したため、チャンネル上げが執行され、ディスプレイ２０の上には現在のチャンネルコードを表示する。そして、タッチパネル１４は使用者の指３０がタッチパネル１４でのスライド距離を計算し、チャンネル上げの速度を決定する。例えば、当該上げる速度は当該距離と線形関係を持つ。図２に示すように、開始位置３０ａから位置３０の距離は、開始位置３０ａから３０ｃの距離より大きいため、前者のチャンネル上げの速度は比較的に速い。言い換えると、チャンネル変動の速度は固定ではないもの。使用者は現在チャンネルが目標チャンネルとのギャップにより指３０がタッチパネル１４での移動距離を決定できる。使用者の指３０がタッチパネル１４を離れる時、その制御信号は被制御装置１２に通知してチャンネル上げの機能を停止する。同様に、使用者の指３０が始めてタッチパネル１４を接触する位置は音量調整キー２４に落下する場合、音量下げの機能が起動され、また指３０の移動後の位置と開始位置との間の距離により、被制御装置１２が音量を下げる速度を制御する。
【００２２】
図３はタッチパネル１０を使用する制御方法の第二実施例である。使用者の指３０はチャンネル調整キー２２に落下してチャンネル上げの機能を起動し、その後、使用者の指３０は開始位置３２ａから位置３２ｂにスライドする。両位置の間の距離はチャンネル上げの速度の決定に用いられる。使用者の指３０は位置３２ｂに留まる時、被制御装置１２は継続して当該速度でチャンネルを上げる。使用者の指３０は再度およそ逆の方向で位置３２ｂから位置３２ｃまでスライドする場合、チャンネル下げとなり、下げの速度は位置３２ｂと３２ｃの間の距離により決定する。チャンネル変動の方向を変えるかどうかは、２回のスライド方向により決定する。例えば、予めに臨界角を９０度に設定し、第２回のスライド方向３６と第１回のスライド方向３４の間の挟む角度は９０度より大きい場合、変動の方向は反対になる。また予めに参考角度を１８０度に設定し、誤差の範囲は４５度である。第２回のスライド方向３６と第１回のスライド方向３４間の挟む角は１３５度〜２２５度の場合、変動方向は反対になる。このようにして、毎回のスライド方向を前回のスライド方向と比較すると、設定された条件に合う場合は方向を反対にする。使用者の指３０がタッチパネル１４から離れる時、その生じされた制御信号は被制御装置１２に通知し、チャンネル調整機能を終了する。音量調整機能についても同じ過程である。
【００２３】
図４はタッチパネルリモコン１０の制御方法の第三実施例であり、それはタッチパネル１４に、昔のダイヤル電話機と類似する操作方式で文字・数字を入力する。タッチパネルリモコン１０が被制御装置１２を制御し、文字・数字の入力機能を起動する後、使用者の指３０がタッチパネル１４の上で円を描くスライド動作は被制御装置１２を制御して文字・数字を選択する。例えば、予め１セットの文字・数字を保存し、円を描くスライド動作の方向で文字・数字の変動方向を決定し、当該１セットの文字・数字の間で循環して変動する。図５は電話番号の入力する実例であり、この実例において、予めアラビア数字０〜９を保存しする。文字・数字の入力機能を起動した後、被制御装置１２はディスプレイ２０に文字・数字のデフォルト値を表示し、例えば、数字６。使用者の指３０がタッチパネル１４に左回りスライドすると、数字６から次第に減少し、その反対に、使用者の指３０がタッチパネル１４に右周りスライドすると、数字６から次第に増加する。更に、タッチパネル１４の中心位置を基準点と設置することができ、且つ使用者の指３０がタッチパネル１４上の位置と当該基準点との間の距離で次第に増加・減少する速度を決める。図５の操作画面を参照すること。使用者の指３０がタッチパネル１４に円を描くことは数字を０〜９の間に循環して次第に増加・減少させることを制御する。フレームの移動速度は即ち数字の次第に増加・減少する速度である。使用者の指３０がタッチパネル１４から離れると、フレームの中にある数字は選択された数字である。上述の手順を繰り返して被制御装置１２に電話番号を入力した後、タッチパネル１０で被制御装置１２を制御して電話をかける。
【００２４】
図６はタッチパネルリモコン１０を使用する制御する方法の第４実施例である。使用者の指３０がタッチパネル１４での左右スライド動作は被制御装置１２のパラメーター値の調整に用いられ、例えば、ディスプレイ２０のコントラスト。タッチパネルリモコン１０が被制御装置１２を制御してコントラストの調整機能を起動した後、ディスプレイ２０には、図７に示すようにコントラストバーが表示される。コントラスト値の大小は最小値Minと最大値Mａxの間に変動できる。図６及び図７を参照し、使用者の指３０がタッチパネル１４に位置３８ａから位置３８ｂへ左スライドすると、コントラスト値は現在の大小から最小値Minの方向へ次第に減少し、反対にすると、使用者の指３０がタッチパネル１４に位置４０ａから位置４０ｂへ右スライドすると、コントラスト値は現在の大小から最大値Mａxの方向へ次第に増加する。使用者の指３０がタッチパネル１４での一回のスライド動作で使用したいコントラストまで調整できない場合、完成するまで繰り返して同じ方向でスライドすることができる。例えば図６の右半図に示すように、使用者の指３０がタッチパネル１４に底まで右スライドする後、指３０を上げて左側の位置４０ａに再度落下し、位置４０ｂまで右へ２回のスライドすることを行う。異なる実施例において、タッチパネルリモコン１０が提供する操作方向は上下またはほかの方向のスライド動作でもよい。
【００２５】
図８はタッチパネルリモコン１０を使用する制御方法の第５実施例である。前述した実施例と異なり、この実施例は順次にパラメーター値を変動しなく、直接にタッチパネル１４に文字・数字を書く。例えばチャンネルの選択または電話番号の入力の時、タッチパネルリモコン１０が被制御装置１２を制御して対応の機能を起動した後、タッチパネル１４は使用者の指３０がその上の書跡を認識し、数字を生成して当該被制御装置１２に送る。被制御装置１２でもディスプレイ２０に書跡を表示することができ、且つ当該書跡が決まった数字により、直接に対応のチャンネルに切り替え、または番号を入力する。
【００２６】
本発明によると、タッチパネル１４の上での接触、スライド方向と距離などの特徴を認識すること、及びタッチパネル１４上からの離れることで、より簡単な操作方式で、リモコンがすべての調整と入力の機能を完成できる。
【００２７】
図９はタッチパネル１４のブロック図であり、そのタッチパネル１４はセンサー４２及びコントローラー４４を含む。前者は使用者の入力操作に応じて、電気的な変動量を生成し、後者は電気的な変動量を認識して対応する信号を生成する。タッチパネル１４のハードウェアの回路は既知の技術であり、それが達成できる機能は通常コントローラー４４にあるファームウェアにより決められ、ファームウェアを変更すると、タッチパネル１４が使用者の入力操作に対応する方法を変更でき、対応する信号を生成する。前述キーアリア２２〜２８は予めにコントローラー４４のファームウェアの中に配置され、使用者の指の接触と位置の認識、スライド方向の判断し、スライド距離の測り、設定された各参考値または臨界値との比較、及びその対応に生成する信号も、コントローラー４４のファームウェアに配置できる。
【００２８】
タッチパネルリモコン１０が制御信号を生成する方式は既知の技術とは異なるが、被制御装置１２がディスプレイ３０に表示する使用者インターフェースは既知技術と同じでよい。例えば、よく使用される音量バー、コントラストバー、明るさバー、色合いバー、アイコン、図案及び機能リストと番組リストは依然として被制御装置１２に使用できる。被制御装置１２はコンピュータ、またはその内のコントローラー１８はWINDOW OSを執行する場合、既知技術のWINDOWの使用者インターフェースまたはほかのWINDOW対応のOSインターフェース、例えばWindowsエクスプローラ及び各種ツリー構造の機能メニューは依然として被制御装置１２に使用されることができ、然しながら、実際のキーより、タッチパネル１４による操作は簡単で便利であり、誤りは起こりにくい。
【図面の簡単な説明】
【００２９】
【図１】タッチパネルコントローラーを使用する表示図である。
【図２】タッチパネルコントローラーを使用する制御方法の第１実施例である。
【図３】タッチパネルコントローラーを使用する制御方法の第２実施例である。
【図４】タッチパネルコントローラーを使用する制御方法の第３実施例である。
【図５】図４の制御方法を使用する時の操作画面である。
【図６】タッチパネルコントローラーを使用する制御方法の第４実施例である。
【図７】図６の制御方法を使用する時の操作画面である。
【図８】タッチパネルコントローラーを使用する制御方法の第５実施例である。
【図９】タッチパネルのブロック図である。
【符号の説明】
【００３０】
１０  タッチパネルリモコン
１２  被制御装置
１４  タッチパネル
１６  リモコンインターフェース
１８  コントローラー
２０  ディスプレイ
２２  チャンネル上げキー
２４  音量下げキー
２６  チャンネル下げキー
２８  音量上げキー
３０  使用者の指
３０ａ、３０ｂ、３０ｃ、３２ａ、３２ｂ、３２ｃ、３８ａ、３８ｂ、３８ｃ、４０ａ、４０ｂ、４０ｃ  位置
３４、３６  方向
４２  センサー
４４  コントローラー
【図１】
2008042481.tif 000003
【図２】
2008042481.tif 000004
【図３】
2008042481.tif 000005
【図４】
2008042481.tif 000006
【図５】
2008042481.tif 000007
【図６】
2008042481.tif 000008
【図７】
2008042481.tif 000009
【図８】
2008042481.tif 000010
【図９】
2008042481.tif 000011